(57)【要約】【課題】フィルムロールの端面を傷つけずに、該フィルムロールを鉛直方向に多段に積み重ねて輸送することができるフィルムロール／フィルムロール間介在部材を提供することを主要な目的とする。【解決手段】フィルムロール／フィルムロール間介在部材１１は、複数の貫通孔１２を有する板状部材１３と、板状部材１３の貫通孔１２のそれぞれに一方の面１３ａ側から嵌り込んで板状部材１３の上下に突出する固定用鉛直部材１４とを備える。固定用鉛直部材１４の側壁には、その略中央で、貫通孔１２よりも大きい径を有するフランジ１５が、全周囲にわたって張り出している。板状部材１３の少なくとも上記一方の面１３ａには、貫通孔１２の周辺にフランジ１５の張り出しを受け止めるフランジ受け止め用溝１６が形成されている。【選択図】図１
2016203993.tif 000002
【特許請求の範囲】
【請求項１】
鉛直方向に積み重ねられるフィルムロールとフィルムロールとの間に介在させて、これらのフィルムロールの端面を保護しながら水平方向の動きを規制するフィルムロール／フィルムロール間介在部材であって、
複数の貫通孔を有する板状部材と、
前記板状部材の前記貫通孔のそれぞれに一方の面側から嵌り込んで前記板状部材の上下に突出する固定用鉛直部材とを備え、
前記固定用鉛直部材には、その側壁の略中央で、前記貫通孔よりも大きい径を有するフランジが張り出しており、
前記板状部材の少なくとも前記一方の面には、前記貫通孔の周辺に前記フランジの張り出しを受け止めるフランジ受け止め用溝が形成されている、フィルムロール／フィルムロール間介在部材。
【請求項２】
前記フランジ受け止め用溝の深さの寸法は、前記フランジの厚みの寸法に等しいか、又はそれより大きくされている請求項１に記載のフィルムロール／フィルムロール間介在部材。
【請求項３】
フィルムロールを鉛直方向に多段に積み重ねて輸送する通いフィルムロール輸送具であって、
鉛直方向に積み重ねられる前記フィルムロールの各端面の間に介在させる、請求項１又は２に記載のフィルムロール／フィルムロール間介在部材と、
前記多段に積み重ねられたフィルムロールを外側から囲んで梱包する梱包容器用部材と、
前記梱包容器用部材の底部に配置され、一段目のフィルムロールのコアの空洞部に嵌り込んで該一段目のフィルムロールを鉛直方向に立てて支持するための複数の凸部が設けられた支持体と、を備えた通いフィルムロール輸送具。
【発明の詳細な説明】
【技術分野】
【０００１】
本発明は、一般にフィルムロール／フィルムロール間介在部材に関するものであり、より特定的には、フィルムロールを鉛直方向に積み重ねて輸送するに適したフィルムロール／フィルムロール間介在部材に関する。この発明はそのようなフィルムロール間介在部材を含む通いフィルムロール輸送具に関する。
【背景技術】
【０００２】
図６（Ａ）を参照して、フィルムロールを輸送する際に用いる従来のフィルムロールの端面保護具４は、矩形の段ボール紙１を２枚重ねて形成された板状部材２と、プラスチックで形成された突出部３とからなる。端面保護具４は、図６（Ｂ）に示すように、フィルムロール５の両端面に配置される。端面保護具４，４の突出部３を、フィルムロール５のコア６の空洞部に挿入する。フィルムロール５は、例えば熱収縮性筒状ラベル、ストレッチラベルあるいはその他のフィルムがコアを中心にロール状に巻かれたものである。端面保護具４は、フィルムロール５のコア６の両端部を受け止める。
【０００３】
その状態で、図６（Ｃ）に示すように、フィルムロール５を鉛直方向に立てて段ボール箱７に個装して、天側と底側の蓋をガムテープ８などで封じる。そして、図７に示すように、パレット９の上にフィルムロール入りの複数個の段ボール箱７が載せられ、ＰＰバンド１０で束ねられ、トラックなどで輸送される。端面保護具４を付けていないと、フィルムロール５が段ボール箱７内で動いて、フィルムロール５の端面が損傷を受けることがあるが、端面保護具４を付けていると、フィルムロール５の段ボール箱７内での動きが規制されて動かなくなり、フィルムロール５の損傷を防ぐ。
【０００４】
他の従来例として、フィルムロールを上述のように１個だけ個装するのでなく、多数収容できる梱包容器を用いて複数個のフィルムロールを水平方向に並べて輸送する技術も提案されている（例えば特許文献１参照）。
【先行技術文献】
【特許文献】
【０００５】
【特許文献１】特開平２０１３−２０９１４０号公報
【発明の概要】
【発明が解決しようとする課題】
【０００６】
しかし、図６に示す従来のフィルムロール輸送具は、消費者である顧客に輸送されてフィルムロールが取り出された後、放棄されるのが通常である。このため、輸送具自体にコストがかかるという問題があった。また、特許文献１の開示技術は、複数個のフィルムロールを収納する梱包容器を用いるので経済的であるが、複数個のフィルムロールを水平方向に並べるだけであり、さらに多くのフィルムロールを輸送する場合には占有面積が大きくなり、輸送効率に限界があった。また倉庫に保管する場合にも、占有面積が大きくなっていた。
【０００７】
この発明は、上記のような問題点を解決するためになされたもので、フィルム供給者と消費者との間を行き交い、繰り返し使用できる、経済的で、安全で、しかも輸送効率の良い、通いフィルムロール輸送具を提供することを目的とする。
【０００８】
この発明の他の目的は、上記通いフィルムロール輸送具に適したフィルムロール／フィルムロール間介在部材を提供することにある。
【課題を解決するための手段】
【０００９】
本発明は、鉛直方向に積み重ねられるフィルムロールとフィルムロールとの間に介在させて、これらのフィルムロールの端面を保護しながら水平方向の動きを規制するフィルムロール／フィルムロール間介在部材であって、複数の貫通孔を有する板状部材を備える。上記板状部材の上記貫通孔のそれぞれに一方の面側から、固定用鉛直部材が嵌り込んで上記板状部材の上下に突出している。上記固定用鉛直部材には、その側壁の略中央で、上記貫通孔よりも大きい径を有するフランジが張り出している。上記板状部材の少なくとも上記一方の面には、上記貫通孔の周辺に上記フランジの張り出しを受け止めるフランジ受け止め用溝が形成されている。
【００１０】
上記フランジは全周囲にわたって張り出していてもよく、十字型など全周囲にわたらない形状で張り出していてもよい。
【００１１】
上記フィルムロール／フィルムロール間介在部材を用いると、上記固定用鉛直部材が積み重ねられる上記フィルムロールのコアの空洞部に嵌り込み、これらの水平方向の動きを規制するので、フィルムロールを鉛直方向に多段に積み重ねて安全に輸送することが可能となり、輸送効率が高くなる。また、該フィルムロール／フィルムロール間介在部材は繰り返し使用できるので、フィルムロール供給者と消費者との間を行き交う、通い用にすることができる。
【００１２】
上記フランジ受け止め用溝の深さの寸法は、上記フランジの厚みの寸法に等しいか、又はそれより大きくされているのが好ましい。
【００１３】
フランジ受け止め用溝の深さの寸法を、上記フランジの厚みの寸法に等しくすることにより、上記板状部材の一方の面に上記フランジの厚み部分による段差ができない。
【００１４】
この発明の他の局面に従う、フィルムロールを鉛直方向に多段に積み重ねて輸送する通いフィルムロール輸送具は、鉛直方向に積み重ねられる上記フィルムロールの各端面の間に介在させる、上述の特徴を有するフィルムロール／フィルムロール間介在部材と、上記多段に積み重ねられたフィルムロールを外側から囲んで梱包する梱包容器用部材と、上記梱包容器用部材の底部に配置され、一段目のフィルムロールのコアの空洞部に嵌り込んで該一段目のフィルムロールを鉛直方向に立てて支持するための複数の凸部が設けられた支持体と、を備える。
【発明の効果】
【００１５】
本発明に係るフィルムロール／フィルムロール間介在部材を用いると、多段に積み重ねたフィルムロールの水平方向の動きが規制される。フィルムロールを鉛直方向に多段に積み重ねることができるので、大量のフィルムロールを水平方向の占有面積を小さくして輸送することができ、輸送効率が高くなる。また通い用にできるので、経済的である。倉庫に保管する場合にも、多段に積み重ねることができるので、大きな占有面積を必要としない。
【図面の簡単な説明】
【００１６】
【図１】（Ａ）は本発明の実施例１に係るフィルムロール／フィルムロール間介在部材の斜視図あり、（Ｂ）は、その構成要素の１つである固定用鉛直部材を抜き出した斜視図であり、（Ｃ）は、板状部材を抜き出した斜視図であり、（Ｄ）は固定用鉛直部材の他の態様の斜視図である。
【図２】（Ａ）は、図１（Ａ）におけるＩＩＡ−ＩＩＡ線に沿う断面図、（Ｂ）は、フィルムロール／フィルムロール間介在部材の分解図である。
【図３】フィルムロール／フィルムロール間介在部材を用いて複数個のフィルムロールを多段に積み重ねていく様子を示した斜視図である。
【図４】（Ａ）はフランジ受け止め用溝の深さの寸法とフランジの厚みの寸法を等しくしたときの断面図、（Ｂ）はフランジ受け止め用溝を設けない場合の断面図である。
【図５】（Ａ）、（Ｂ）は、実施例２に係るフィルムロール用通い輸送具を説明する図である。
【図６】従来のフィルムロールの端面保護具を説明するための図である。
【図７】従来のフィルムロールの輸送方法を示す図である。
【発明を実施するための形態】
【００１７】
輸送効率の良い通いフィルムロール輸送具を得るという目的を、鉛直方向に積み重ねられたフィルムロールとフィルムロールとの間に介在させて、これらのフィルムロールの端面を保護しながら水平方向の動きを規制するフィルムロール／フィルムロール間介在部材を使用することによって実現した。以下、本発明の実施例を、図を用いて説明する。各図中、同一又は相当する部分には同一の参照番号を付し、その説明を繰り返さない。
【実施例１】
【００１８】
図１及び図２を参照して、フィルムロール／フィルムロール間介在部材１１は、固定用鉛直部材１４と板状部材１３とからなる。板状部材１３には複数個の貫通孔１２（実施例では９個であるが、この数に限られるものでない）が設けられている。後述するように、板状部材１３の表面及び裏面にフィルムロールの端面が接する。板状部材１３の材質は、例えば木材また樹脂である。
【００１９】
固定用鉛直部材１４は、板状部材１３に設けられた複数個の貫通孔１２のそれぞれに一方の面１３ａ側から嵌り込んで板状部材１３の上下に突出する。固定用鉛直部材１４は、後述するように、積み重ねられるフィルムロールのコアの空洞部に嵌り込み、これらの水平方向の動きを規制する。固定用鉛直部材１４には、その略中央に、その全周囲にわたって、フランジ１５が張り出している。フランジ１５の径は、板状部材１３に設けられた貫通孔１２の径よりも大きい。固定用鉛直部材１４の材質は、例えばプラスチックである。フランジ１５と固定用鉛直部材１４は一体化している。固定用鉛直部材１４には、軽量化のために、図１（Ｄ）に示すように軸心方向に空洞部１７を設けてもよい。
【００２０】
図２（Ａ）（Ｂ）を参照して、板状部材１３の一方の面１３ａには、貫通孔１２の周辺に上記フランジ１５の張り出しを受け止めるフランジ受け止め用溝１６が形成されている。板状部材１３の他方の面にもフランジ受け止め用溝が形成されてもよく、このように構成すると板状部材１３の裏と表を区別しなくてよい。フランジ受け止め用溝１６の深さの寸法は、フランジ１５の厚みの寸法に等しいか、又はそれより大きくされている。これについては後述する。
【実施例２】
【００２１】
フィルムロール／フィルムロール間介在部材１１を用いて、複数のフィルムロール５を多段に積み重ねて梱包する方法を説明する。図３（Ａ）に示すように、パレット９の上に、後述する通い輸送具の梱包容器用部材の一要素である下蓋部材１９ｃを配置する。下蓋部材１９ｃの上に支持体２１を配置する。支持体２１は、複数のフィルムロール５をその上に載せて支持するものである。支持体２１には、複数の凸部２０が設けられている。支持体２１に設けられた凸部２０に、フィルムロール５のコアの空洞部に嵌め込み、一段目のフィルムロール５を鉛直方向に立てる。
【００２２】
次に、フィルムロール／フィルムロール間介在部材１１を、板状部材１３の一方の面１３ａ側、すなわちフランジ受け止め用溝１６が形成された面を上に向けて準備する。
【００２３】
図３（Ａ）（Ｂ）に示すように、支持体２１の上に配置された一段目のフィルムロール５のコアの空洞部に、上側から、固定用鉛直部材１４の下部分が嵌り込むように、一段目のフィルムロール５の上に、フィルムロール／フィルムロール間介在部材１１を配置する。
【００２４】
次に図３（Ｃ）に示すように、鉛直方向に積み重ねられる２段目のフィルムロール５のコアの空洞部が、固定用鉛直部材１４の板状部材１３の上側に突き出した部分に嵌りこむように、２段目のフィルムロール５をフィルムロール／フィルムロール間介在部材１１を介在させて、一段目のフィルムロール５の上に積み重ねる。フィルムロール／フィルムロール間介在部材１１は、一段目のフィルムロール５と二段目のフィルムロール５の端面を保護しながら、これらの水平方向の動きを規制する。さらに、図３（Ｄ）に示すように、２段目のフィルムロール５と、その上に積み重ねられる３段目のフィルムロール５との間に、フィルムロール／フィルムロール間介在部材１１を介在させる。そして、同様にして、３段目のフィルムロール５を載せていく。
【００２５】
こうして、例えば、一段目に９本、二段目に９本、三段目に９本、合計２７本のフィルムロール５を支持体２１の上に載せることができる。但し、これらは一例であって、本発明は、この段数に限られない。また一段当たりのフィルムロールの本数もこれらに限定されるものではない。
【００２６】
本発明によれば、図４（Ａ）を参照して、フランジ受け止め用溝１６の深さの寸法は、フランジ１５の厚みの寸法に等しくされているので、板状部材１３の一方の面にフランジ１５の厚み部分による段差ができない。板状部材１３の一方の面１３ａとフランジ１５の表面とは、面一となる。その結果、フィルムロール５を鉛直方向に多段に積み重ねられたときでも、フィルムロールの端面が損傷を受けない。一方、図４（Ｂ）に示すように、フランジ受け止め用溝１６を板状部材１３の一方の面１３ａに設けておかないと、フランジ１５の厚み部分が板状部材１３の一方の面１３ａ上に突出し、輸送中の振動などによりフィルムロール５の端面が損傷を受けるのである。
【００２７】
図５（Ａ）と（Ｂ）は、フィルムロール５を鉛直方向に多段に積み重ねて輸送する、通いフィルムロール輸送具１８を説明するための図である。通いフィルムロール輸送具１８は、多段に積み重ねられたフィルムロール５を側方から取り囲む一対の側面部材１９ａ，１９ａと、上から蓋をする平面状の縁付き上蓋部材１９ｂと、下から蓋をする平面状の縁付き下蓋部材１９ｃとからなる梱包容器用部材を含む。梱包容器用部材１９ａ、１９ｂ、１９ｃの材質は、木材、樹脂またはダンボール紙や圧縮紙等の紙である。
【００２８】
本明細書で、通いフィルムロール輸送具１８とは、上記梱包容器用部材１９ａ、１９ｂ、１９ｃと、上述した支持体２１と、フィルムロール／フィルムロール間介在部材１１の一式をいい、これらは繰り返し使用できる。
【００２９】
輸送までの梱包作業を説明すると、図５（Ａ）（Ｂ）を参照して、多段に積み重ねられたフィルムロール５を側方から取り囲むように一対の側面部材１９ａ，１９ａを下蓋部材１９ｃの上に配置し、上蓋部材１９ｂで上から蓋をする。次に上蓋部材１９ｂと下蓋部材１９ｃの縁部分を折り畳む。最後に、パレット９のフォーク挿入孔９ａと上蓋部材１９ｂとの間をポリプロピレン製等の結束バンドで結束し一体化し、トラック等で輸送する。
【００３０】
本発明によれば、フィルムロールの端面を傷つけずに、フィルムロールを鉛直方向に多段に積み重ねて輸送できる。また、大量のフィルムロールの輸送を占有面積を小さくして安全に輸送することが可能となり、輸送効率が高くなる。
【００３１】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３２】
本発明にかかるフィルムロール／フィルムロール間介在部材によれば、フィルムロールの端面を傷つけずに、該フィルムロールを鉛直方向に多段に積み重ねて安全に輸送することができる。
【符号の説明】
【００３３】
１  段ボール紙
２  板状部材
３  突出部
４  フィルムロールの端面保護具
５  フィルムロール
６  コア
７  段ボール箱
８  ガムテープ
９  パレット
９ａ  挿入穴
１０  ＰＰバンド
１１  フィルムロール／フィルムロール間介在部材
１２  貫通孔
１３  板状部材
１３ａ  板状部材の一方の面
１４  固定用鉛直部材
１５  フランジ
１６  フランジ受け止め用溝
１７  空洞部
１８  通いフィルムロール輸送具
１９ａ  側面部材
１９ｂ  上蓋部材
１９ｃ  下蓋部材
２０  凸部
２１  支持体
【図１】
2016203993.tif 000003
【図２】
2016203993.tif 000004
【図４】
2016203993.tif 000005
【図６】
2016203993.tif 000006
【図３】
2016203993.tif 000007
【図５】
2016203993.tif 000008
【図７】
2016203993.tif 000009